(57)【要約】【課題】従来の記録再生装置は、記録された複数のコンテンツを圧縮する際に、圧縮するコンテンツを選択する操作が煩雑であった。【解決手段】この発明の記録再生装置は、外部から入力された複数のコンテンツをコンテンツ毎に識別できるように識別情報と共に記録媒体に記録するコンテンツ記録手段と、前記記録媒体に記録された複数のコンテンツを所定のグループにグループ化するためのグループ化基準が設定されるグループ化基準設定手段と、前記設定されたグループ化基準に応じて前記識別情報に基づいて記録媒体に記録された前記複数のコンテンツをそれぞれ所定のグループに分類してグループ化するグループ化手段と、記録媒体に記録された前記複数のコンテンツを前記グループ化されたグループ毎に圧縮処理する圧縮手段とを備え、グループ毎に圧縮された前記複数のコンテンツを記録媒体に記録するように構成している。【選択図】  図１
2004158127.tif 000002
【特許請求の範囲】
【請求項１】
外部から入力されたコンテンツを記録媒体に記録する記録再生装置において、外部から入力されたコンテンツをコンテンツ毎に識別できるように識別情報と共に記録媒体に記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、記録媒体に記録された前記コンテンツをそれぞれ所定のグループに分類してグループ化するグループ化手段と、
記録媒体に記録された前記コンテンツを前記グループ化されたグループ毎に圧縮処理する圧縮手段とを備え、グループ毎に圧縮されたコンテンツを記録媒体に記録することを特徴とする記録再生装置。
【請求項２】
外部から入力されたコンテンツを記録媒体に記録する記録再生装置において、外部から入力されたコンテンツをコンテンツ毎に識別できるように識別情報と共に記録媒体に第１の圧縮処理を施して記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、前記記録媒体に記録されたコンテンツをそれぞれ所定のグループに分類してグループ化するグループ化手段と、
前記記録媒体に圧縮処理が施されて記録されたコンテンツを前記グループ化されたグループ毎に読み出して伸張処理を施す伸張手段と、
前記グループ毎に伸張処理が施されたコンテンツに第２の圧縮処理を施す圧縮手段とを備え、前記第２の圧縮処理が施されたコンテンツを記録媒体に記録することを特徴とする記録再生装置。
【請求項３】
外部から入力されたコンテンツを記録媒体に記録する記録再生装置において、外部から入力されたコンテンツをコンテンツ毎に識別できるように識別情報と共に記録媒体に記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、前記記録媒体に記録されたコンテンツをそれぞれ所定のグループに分類してグループ化するグループ化手段と、
前記グループ化されたコンテンツを圧縮処理するための圧縮レートが設定される圧縮レート設定手段と、
前記記録媒体に記録されたコンテンツを前記グループ化されたグループ毎に、前記設定された圧縮レートに応じて圧縮処理する圧縮手段とを備え、前記グループ毎に設定された圧縮レートに応じて圧縮されたコンテンツを記録媒体に記録することを特徴とする記録再生装置。
【請求項４】
外部から入力されたコンテンツを記録媒体に記録する記録再生装置において、外部から入力されたコンテンツをコンテンツ毎に識別できるように識別情報と共に記録媒体に記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、記録媒体に記録された前記コンテンツをそれぞれ所定のグループに分類してグループ化するグループ化手段と、
前記グループ化されたコンテンツを圧縮処理するための記録レートを各グループのコンテンツの中で最小の記録レートに合致させる演算処理を行う記録レート設定手段と、
前記記録媒体に記録されたコンテンツを前記グループ化されたグループ毎に、前記演算処理された記録レートに応じて圧縮処理する圧縮手段とを備え、前記演算処理された記録レートに応じてグループ毎に圧縮されたコンテンツを記録媒体に記録することを特徴とする記録再生装置。
【請求項５】
外部から入力されたコンテンツを記録媒体に記録する記録再生装置において、外部から入力されたコンテンツをコンテンツ毎に識別できるように識別情報と共に記録媒体に記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、記録媒体に記録された前記コンテンツをそれぞれ所定のグループに分類してグループ化するグループ化手段と、
前記グループ化されたコンテンツが確認されるグループ化確認手段と、
前記記録媒体に記録されたコンテンツを前記グループ化が確認されたグループ毎に圧縮処理する圧縮手段とを備え、グループ化が確認されグループ毎に圧縮されたコンテンツを記録媒体に記録することを特徴とする記録再生装置。
【請求項６】
外部から入力されたコンテンツを複数の所有者が共有可能なように記録媒体に記録する記録再生装置において、
外部から入力されたコンテンツおよびそのコンテンツの所有者を識別できるようにコンテンツを識別情報と共に記録媒体に記録するコンテンツ記録手段と、
前記記録媒体に記録されたコンテンツを所定のグループにグループ化するためのグループ化基準が設定されるグループ化基準設定手段と、
前記設定されたグループ化基準に応じて、前記識別情報に基づいて、記録媒体に記録された前記コンテンツをそのコンテンツの所有者を含むそれぞれ所定のグループに分類してグループ化するグループ化手段と、
前記記録媒体に記録されたコンテンツを前記グループ化されたグループ毎に圧縮処理する圧縮手段とを備え、グループ毎に圧縮されたコンテンツを複数の所有者が共有可能なように記録媒体に記録することを特徴とする記録再生装置。
【請求項７】
前記圧縮処理または伸張処理はＭＰＥＧに係る処理であることを特徴とする請求項１乃至６に記載の記録再生装置。
【請求項８】
前記グループ化手段は記録媒体に記録されたコンテンツに備えられたジャンルに応じてグループ化することを特徴とする請求項１乃至７に記載の記録再生装置。
【請求項９】
前記グループ化手段はユーザによって設定されたジャンルに応じてグループ化することを特徴とする請求項１乃至７に記載の記録再生装置。
【請求項１０】
前記グループ化手段は定期的に予約された番組に応じてグループ化する手段を含むことを特徴とする請求項１乃至７に記載の記録再生装置。
【請求項１１】
前記グループ化手段は放送を受信した放送局に応じてグループ化する手段を含むことを特徴とする請求項１乃至７に記載の記録再生装置。
【請求項１２】
前記グループ化手段は外部から取得された番組情報に応じてグループ化する手段を含むことを特徴とする請求項１乃至７に記載の記録再生装置。
【請求項１３】
前記グループ化手段は再生済みのコンテンツに応じてグループ化する手段を含むことを特徴とする請求項１乃至７に記載の記録再生装置。
【請求項１４】
前記グループ化手段はコンテンツの記録された日に応じてグループ化する手段を含むことを特徴とする請求項１乃至７に記載の記録再生装置。
【請求項１５】
前記グループ化手段はコンテンツの所有者に応じてグループ化する手段を含むことを特徴とする請求項１乃至７に記載の記録再生装置。
【請求項１６】
外部から入力されたコンテンツをコンテンツ毎に識別できるように識別情報と共に記録するステップと、
前記記録媒体に記録されたコンテンツを所定のグループにグループ化するためのグループ化基準を設定するステップと、
前記設定されたグループ化基準に応じて、前記識別情報に基づいて、記録された前記コンテンツをそれぞれ所定のグループに分類してグループ化するステップと、
前記コンテンツを前記グループ化されたグループ毎に圧縮処理するステップとを備えることを特徴とする記録再生方法。
【発明の詳細な説明】
【０００１】
【発明の属する技術分野】
この発明はコンテンツを記録媒体に記録する記録再生装置に関する。
【０００２】
【従来の技術】
従来のコンテンツを記録媒体に記録する技術は、記録中に記録媒体の残量が不足する場合に、記録済データを複合し、異なる圧縮率で再符号化して再記録している（例えば特許文献１）。
【０００３】
また、従来のコンテンツを記録媒体に記録する技術は、画像信号を１個のピクチャにより構成されるＧＯＰ単位での画像圧縮を最適にすることによりアンダーフロー／オーバーフローを防止している（例えば特許文献２）。
【０００４】
また、従来のコンテンツを記録媒体に記録する技術は、記録されたコンテンツを読出し伸張してから、より高い圧縮率で再圧縮して再記録している（例えば特許文献３）。
【０００５】
【特許文献１】
特開平１０−２５７４２２号公報（第３−５頁、図１、図２、図３）
【特許文献２】
特開２００１−１４８８５８号公報（第１６−２０頁、図１）
【特許文献３】
特開平１０−２４３３４４号公報（第３−８頁、図１、図２、図３）
【０００６】
【発明が解決しようとする課題】
上記特許文献１および特許文献２、特許文献３の技術は、記録されたコンテンツを圧縮する際に、圧縮するコンテンツを選択する操作が煩雑であるという問題を解決することはできなかった。
【０００７】
この発明は、記録されたコンテンツを圧縮する際のコンテンツの選択操作を改善することを目的とする。
【０００８】
【課題を解決するための手段】
この発明に係る記録再生装置は、外部から入力されたコンテンツをコンテンツ毎に識別できるように識別情報と共に記録媒体に記録するコンテンツ記録手段と、前記記録媒体に記録されたコンテンツを所定のグループにグループ化するためのグループ化基準が設定されるグループ化基準設定手段と、前記設定されたグループ化基準に応じて前記識別情報に基づいて記録媒体に記録された前記コンテンツをそれぞれ所定のグループに分類してグループ化するグループ化手段と、記録媒体に記録された前記複数のコンテンツを前記グループ化されたグループ毎に圧縮処理する圧縮手段とを備え、グループ毎に圧縮された前記複数のコンテンツを記録媒体に記録するように構成している。
【０００９】
また、この発明に係る記録再生方法は、外部から入力された複数のコンテンツをコンテンツ毎に識別できるように識別情報と共に記録するステップと、前記記録媒体に記録された複数のコンテンツを所定のグループにグループ化するためのグループ化基準を設定するステップと、前記設定されたグループ化基準に応じて、前記識別情報に基づいて、記録された前記複数のコンテンツをそれぞれ所定のグループに分類してグループ化するステップと、前記複数のコンテンツを前記グループ化されたグループ毎に圧縮処理するステップとを備えるように構成している。
【００１０】
【発明の実施の形態】
以下、図面を参照してこの発明に係る実施の形態を説明する。
【００１１】
図１はこの発明に係る実施の形態を説明するブロック図である。
【００１２】
符号１は記録媒体（ＤＶＤディスクやＨＤＤディスク）、符号２は記録媒体１へのデータの書込みや記録媒体１からのデータの読出しを行うピックアップ、符号３は記録媒体１をドライブするディスクモータである。
【００１３】
符号４は再生アンプ、符号５は記録アンプ、符号７はメモリバッファ（キャッシュメモリ）、符号８はサーボプロセッサ、符号９はＭＰＥＧ２圧縮されたデータを伸張するＭＰＥＧ２デコーダ（伸張手段）、符号１０はシステムをコントロールするシステムコントローラ、符号１１はデータをＭＰＥＧ２圧縮するＭＰＥＧ２エンコーダ（圧縮手段）である。
【００１４】
符号４１はグラフィック表示器、符号１２はデジタルデータ（デジタル信号）をアナログデータ（アナログ信号）へ変換するＤ／Ａコンバータである映像ＤＡＣ、符号１３は映像を外部へ出力する映像外部出力部、符号３０は出力された映像信号（コンテンツ）を表示する表示装置（ＴＶ）である。
【００１５】
符号１６は外部から映像を入力する映像外部入力部、符号１５は外部から入力された映像を選択する映像入力セレクタ、符号１４はアナログ信号をデジタル信号に変換するＡ／Ｄコンバータである映像Ａ／Ｄである。
【００１６】
符号１９は放送を受信するアンテナ、符号１８は受信された放送を選局するチューナ、符号１７は選局された放送から放送局情報をデコードする放送局情報デコーダである。
【００１７】
符号２２は音声が入力される音声入力部、符号２１は入力された音声を選択する音声入力セレクタ、符号２０はアナログ信号をデジタル信号に変換するＡ／Ｄコンバータである音声Ａ／Ｄである。
【００１８】
符号２３はデジタルデータ（デジタル信号）をアナログデータ（アナログ信号）へ変換するＤ／Ａコンバータである音声ＤＡＣ、符号２４は音声を外部へ出力する音声外部出力部である。これらは、システムコントローラ１０によって制御される。
【００１９】
符号３１は番組情報入力部である。番組情報はＥＰＧ（Ｅｌｅｃｔｒｉｃａｌ  Ｐｒｏｇｒａｍ  Ｇｕｉｄｅ）と呼ばれるもので、放送時刻や放送局、番組内容等の放送番組に関する情報である。これらの番組情報は現在、インターネットを通して取得することができる。例えば、番組情報はインターネットを通して取得してもよい。
【００２０】
アンテナ１９で受信された放送はチューナ１８へ送信され所望の放送局が選択（チューニング）される。チューナ１８で選択された放送局の映像信号（コンテンツ）は映像入力セレクタ１５へ送信され、音声信号は音声入力セレクタ２１へ送信される。また、記録再生装置５０の外部に設けられた外部機器（図示せず）から送信され、映像外部入力部１６から入力された映像信号（コンテンツ）も映像入力セレクタ１５へ送信される。また、記録再生装置５０の外部機器（図示せず）から送信され、音声入力部２２から入力された音声信号（コンテンツ）も音声入力セレクタ２１へ送信される。
【００２１】
映像入力セレクタ１５ではユーザの指示によって、チューナ１８から送信された映像信号（コンテンツ）および映像外部入力部１６から入力された映像信号（コンテンツ）の選択が行われ、選択された映像信号（アナログ信号のコンテンツ）が映像Ａ／Ｄ１４へ送信される。
【００２２】
映像Ａ／Ｄ１４ではアナログ信号をデジタル信号に変換する処理が行われ、デジタル信号に変換された映像信号（コンテンツ）が出力される。
【００２３】
音声入力セレクタ２１ではユーザの指示によって、チューナ１８から送信された音声信号および音声入力部２２から入力された音声信号の選択が行われ、選択された音声信号（アナログ信号）が音声Ａ／Ｄ２０へ送信される。
【００２４】
音声Ａ／Ｄ２０ではアナログ信号をデジタル信号に変換する処理が行われ、デジタル信号に変換された音声信号が出力される。
【００２５】
このとき、入力された複数のコンテンツ（映像信号および音声信号）はコンテンツ毎に識別できるように、識別情報と共に出力される（後述）。
【００２６】
以下、特に断らない限り、外部から入力された映像信号および音声信号を総称してコンテンツと総称する。尚、音声信号はＡＣ３やＰＣＭといった圧縮処理が行われるが、以下の説明ではコンテンツを圧縮するＭＰＥＧ２を用いて説明を省略する。
【００２７】
映像Ａ／Ｄ１４から識別情報と共に出力された複数のコンテンツはＭＰＥＧ２エンコーダ１１へ入力され、ＭＰＥＧ２に係る第１の圧縮（圧縮率：Ｋ０）が施され、ＭＰＥＧ２圧縮データが出力される。
【００２８】
ＭＰＥＧ２エンコーダ１１から出力されたＭＰＥＧ圧縮データは半導体メモリ等で構成されるキャッシュメモリである記録・再生メモリバッファ７に蓄積される。記録・再生メモリバッファ７に蓄積されたＭＰＥＧ圧縮データはデータプロセッサ６へ送信される。
【００２９】
データプロセッサ６は記録・再生メモリバッファ７から送信されたＭＰＥＧ圧縮データを記録媒体１に適合するフォーマット（ＤＶＤまたはＨＤＤフォーマット）に変換して出力する。記録媒体１に適合するフォーマット（以下記録媒体のフォーマット）に変換して出力されたＭＰＥＧ圧縮データは記録アンプ５へ送信される。
【００３０】
記録アンプ５では、記録媒体のフォーマットに変換されたＭＰＥＧ圧縮データを記録媒体１への記録信号に変換して出力する。
【００３１】
記録アンプ５から出力された記録媒体１への記録信号に変換されたＭＰＥＧ圧縮データはピックアップ２へ入力される。
【００３２】
ピックアップ２は、サーボプロセッサ８に制御され、上記記録媒体への記録信号に基づいて上記ＭＰＥＧ圧縮データをレーザー信号に変換して出力する。またディスクモータ３もサーボプロセッサ８に制御され、ピックアップ２から出力されたレーザー信号は、ディスクモータ３にドライブされる記録媒体１へのデータの書込みが実行される。
【００３３】
また、
次に、記録媒体１に記録された複数のコンテンツをグループ化して処理する操作を説明する。
【００３４】
図２はこの発明の実施の形態に係る複数のコンテンツの、グループ化操作の表示画面を説明する図である。
【００３５】
これらの表示画面は、ユーザが図示しないリモコン等を操作して、複数のコンテンツのグループ化操作における表示画面の表示を指示すると、システムコントローラ１０がこの指示を受けてグラフィック表示器４１を制御して、これらの表示画面を作成し、映像外部出力部１３から出力された表示画面が表示手段３０へ表示されることで表示される。
【００３６】
図２（ａ）は記録媒体１に記録された複数のコンテンツのグループ化操作がユーザによって選択される編集メニューを示す図である。ユーザによって複数のコンテンツのグループ化操作が選択されると、図２（ｂ）に示す画面が表示される。
【００３７】
図２（ｂ）は記録媒体１に記録された複数のコンテンツのグループ化基準を選択（設定）するための表示画面である。この表示画面に表示された中からユーザが複数のコンテンツのグループ化基準を選択すると、グループ化基準がシステムコントローラ１０に設定される。
【００３８】
尚、ここでのジャンルはユーザによって適宜設定されるようにすることも可能である。
【００３９】
図２（ｃ）は選択（設定）されたグループ化基準および記録媒体１に記録された複数のコンテンツの識別情報に応じて、システムコントローラ１０によって各コンテンツがグループ化された状態をユーザに確認できるように表示する表示画面である。ここでは、各コンテンツをタイトルＡ、タイトルＢ、タイトルＣ、タイトルＤ、タイトルＥ、タイトルＦで表している。
【００４０】
すなわち、タイトルＡはグループ１、タイトルＢはグループ２、タイトルＣはグループ１、タイトルＤはグループ２、タイトルＥはグループ３、タイトルＦはグループ２に分類されて表示される（グループ１：スポーツ、グループ２：ドラマシリーズＸ、グループ３：音楽）。
【００４１】
図２（ｄ）はグループ化されたコンテンツを圧縮する際の圧縮レート（記録レート）を選択する画面である。ここで選択される圧縮レート（記録レート）は次に説明する２種類である。
【００４２】
１つは、グループ化されたコンテンツの中で最小の記録レートに合わせるものである。後述すように、グループ化されたコンテンツの中から最小の記録レートを抽出し、グループ化されたコンテンツをグループ毎にこの最小の記録レートに合わせて一括して圧縮するものである。グループ化されたコンテンツをグループ毎に最小の記録レートのコンテンツに合わせる演算は、システムコントローラ１０で行われる。
【００４３】
他の１つはグループ毎にコンテンツを一括して圧縮するための圧縮レート（記録レート）をユーザが選択するものである。ここでは符号３９を付したように、圧縮レートとして４Ｍ  ｂｉｔ／ｓｅｃが選択されている。この選択結果は、システムコントローラ１０に設定される。
【００４４】
記録媒体に記録された複数のコンテンツのグループ化および選択された圧縮レート（記録レート）はいずれも、上記のように、システムコントローラ１０に設定される。
【００４５】
ユーザから、記録媒体１に記録された複数のコンテンツの容量を低減するために、コンテンツの圧縮実行指示（図示せず）を受けると、システムコントローラ１０は、サーボプロセッサ８、ディスクモータ３、ピックアップを制御し、記録媒体１から、上記グループ化された複数のコンテンツ（映像信号）をグループ単位で読み出して再生アンプ４へ送信する。
【００４６】
再生アンプ４では受信した複数のコンテンツ（映像信号）を、データプロセッサ６を経由して記録・再生メモリバッファ７へ蓄積する。記録・再生メモリバッファ７へ蓄積された複数のコンテンツ（映像信号）はＭＰＥＧ２デコーダでＭＰＥＧ２に係る伸張処理が施される。
【００４７】
記録媒体１から上記グループ単位で読み出され、伸張処理が施された複数のコンテンツ（映像信号）はＭＰＥＧ２エンコーダ１１に入力される。ＭＰＥＧ２エンコーダ１１では、上記グループ単位で読み出され、伸張処理が施された複数のコンテンツ（映像信号）の圧縮処理が施される。このときの圧縮レート（記録レート）は上記説明した、ユーザによって選択された２種類の圧縮レートのいずれかである。
【００４８】
図３はこの発明の実施の形態に係るフローチャートである。
【００４９】
符号１０１は開始ステップである。例えば、ユーザがグループ化操作を指示することで開始する。続いて符合１０２を付したステップへ進む。
【００５０】
符合１０２は記録媒体１に記録された複数のコンテンツをグループ化するためのグループ化基準を選択するステップである。ここでは図２（ｂ）に示すように選択メニューがリスト表示される。ユーザはこの表示からグループ化基準を選択する。続いて符合１０３を付したステップへ進む。
【００５１】
符合１０３は上記選択されたグループ化基準に応じて記録再生装置のシステムコントローラが複数のコンテンツをグループ化するステップである。続いて符合１０４を付したステップへ進む。
【００５２】
符合１０４は上記グループ化基準に応じてグループ化された各コンテンツをユーザが確認するステップである。ここではここでは図２（ｃ）に示すようにグループの確認表示がリスト表示される。ユーザはこの表示からグループ化された各コンテンツを確認する。続いて符合１０５を付したステップへ進む。
【００５３】
符合１０５は上記グループ化された各コンテンツの圧縮基準値を設定するステップである。ここではここでは図２（ｄ）に示すようにグループ内の最小記録レートに合わせるように圧縮する、ユーザが圧縮レートを選択する、の２種類の圧縮基準値設定が可能である。続いて符合１０６を付したステップへ進む。
【００５４】
符合１０６は上記ＭＰＥＧ２圧縮によって記録媒体に記録された複数のコンテンツを上記グループ化に応じてグループ毎に読み出すステップである。続いて符合１０７を付したステップへ進む。
【００５５】
符合１０７は上記ＭＰＥＧ２圧縮記録され、グループ毎に読み出された複数のコンテンツをＭＰＥＧ２デコーダ（伸張手段）９にてＭＰＥＧ２伸張するステップである。続いて符合１０８を付したステップへ進む。
【００５６】
符合１０８は上記のようにグループ毎一括してＭＰＥＧ２伸張された複数のコンテンツを、上記設定された圧縮レート（圧縮率）に応じて、グループ化されたグループ毎に圧縮（ＭＰＥＧ２圧縮）処理するステップである。ここでの圧縮はＭＰＥＧ２エンコーダ（圧縮手段）１１が用いられる。続いて符合１０９を付したステップへ進む。
【００５７】
符合１０９は上記のように設定された圧縮レート（圧縮率）に応じて、グループ化されたグループ毎に圧縮（ＭＰＥＧ２圧縮）処理された複数のコンテンツを記録媒体１へ記録するステップである。続いて符合１１０を付したステップへ進む。
【００５８】
符合１１０は終了ステップであり、ここでの処理は終了する。
【００５９】
続いてこの発明の実施の形態に係る処理を行う際の、複数のコンテンツの、グループ化の例を説明する。
【００６０】
図４は、この発明の実施の形態に係る、外部から入力された複数のコンテンツをコンテンツ毎に識別できるように識別情報と共に記録媒体１に記録した複数のコンテンツの例である。
【００６１】
符号６１はタイトルＡが付されたコンテンツ（コンテンツＡ）である。コンテンツＡはコンテンツ毎に識別するための識別情報としてスポーツが付与されて記録媒体１に記録されている。
【００６２】
符号６２はタイトルＢが付されたコンテンツ（コンテンツＢ）である。コンテンツＢはコンテンツ毎に識別するための識別情報としてドラマシリーズＸが付与されて記録媒体１に記録されている。
【００６３】
符号６３はタイトルＣが付されたコンテンツ（コンテンツＣ）である。コンテンツＣはコンテンツ毎に識別するための識別情報としてスポーツが付与されて記録媒体１に記録されている。
【００６４】
符号６４はタイトルＤが付されたコンテンツ（コンテンツＤ）である。コンテンツＤはコンテンツ毎に識別するための識別情報としてドラマシリーズＸが付与されて記録媒体１に記録されている。
【００６５】
符号６５はタイトルＥが付されたコンテンツ（コンテンツＥ）である。コンテンツＥはコンテンツ毎に識別するための識別情報として音楽が付与されて記録媒体１に記録されている。
【００６６】
符号６６はタイトルＦが付されたコンテンツ（コンテンツＦ）である。コンテンツＦはコンテンツ毎に識別するための識別情報としてドラマシリーズＸが付与されて記録媒体１に記録されている。
【００６７】
図５は、この発明の実施の形態に係る、グループ化およびグループ毎の圧縮処理の一例を説明する図である。この例では、グループ内の最小の記録レートに合わせて、圧縮処理された例を示している。
【００６８】
これらは上記識別情報に基づいて、記録媒体１に記録されたコンテンツをそれぞれ所定のグループに分類してグループ化し、グループ毎に一括して、伸張した後に圧縮処理している。
【００６９】
すなわち、コンテンツＡ６１およびコンテンツＣ６３は識別情報としてスポーツが付与されて記録媒体１に記録されていた。ここでは、グループ化基準として例えばジャンル毎が選択されており、これらは、スポーツをグループ化基準としてグループ化される。そして、これらのグループ化されたコンテンツは、グループ毎に伸張処理された後に、グループ内の最小の記録レートに合わせて、圧縮処理される。
【００７０】
コンテンツＡ６１およびコンテンツＣ６３が属するグループ内の最小の記録レートはコンテンツＣの記録レート３Ｍ  ｂｉｔ／ｓｅｃであった。上記のように、コンテンツＡ６１は、コンテンツＣ６３の記録レートに合わせた記録レートで圧縮される。したがって、コンテンツＡ６１およびコンテンツＣ６３は伸張後に共に３Ｍｂｉｔ／ｓｅｃの記録レートで圧縮される。
【００７１】
また、コンテンツＢ６２、コンテンツＤ６４およびコンテンツＦ６６は識別情報としてドラマシリーズＸが付与されて記録媒体１に記録されていた。これらは、ドラマシリーズＸをグループ化基準としてグループ化される。そして、これらのグループ化されたコンテンツは、グループ毎に伸張処理された後に、グループ内の最小の記録レートに合わせて、圧縮処理される。
【００７２】
コンテンツＢ６２、コンテンツＤ６４およびコンテンツＦ６６が属するグループ内の最小の記録レートはコンテンツＢ６２の記録レート４Ｍ  ｂｉｔ／ｓｅｃであった。上記のように、コンテンツＤ６４およびコンテンツＦ６６は、コンテンツＢ６２の記録レートに合わせた記録レートで圧縮される。したがって、コンテンツＢ６２、コンテンツＤ６４およびコンテンツＦ６６は伸張後に共に４Ｍ  ｂｉｔ／ｓｅｃの記録レートで圧縮される。
【００７３】
また、コンテンツＥ６５は識別情報として音楽が付与されて記録媒体１に記録されていた。これは、音楽をグループ化基準としてグループ化される。そして、これらのグループ化されたコンテンツは、グループ毎に伸張処理された後に、グループ内の最小の記録レートに合わせて、圧縮処理される。
【００７４】
コンテンツＥ６５が属するグループ内の最小の記録レートはコンテンツＥ６５の記録レート４Ｍ  ｂｉｔ／ｓｅｃであった。上記のように、コンテンツＥ６５は、コンテンツＥ６５の記録レートに合わせた記録レートで圧縮される。したがって、コンテンツＥ６５は伸張後に４Ｍ  ｂｉｔ／ｓｅｃの記録レートで圧縮される。
【００７５】
これらグループ毎に圧縮処理されたコンテンツは、上記のように記録再生メモリバッファ７、データプロセッサ６、記録アンプ５等を経由して記録媒体１に記録される。
【００７６】
図６は、この発明の実施の形態に係る、グループ化およびグループ毎の圧縮処理の、他の例を説明する図である。この例では、ユーザに設定された記録レートに合わせて、圧縮処理された例を示している。ここでは、スポーツは３．５Ｍ  ｂｉｔ／ｓｅｃ以下に、ドラマシリーズＸは４．５Ｍ  ｂｉｔ／ｓｅｃ以下に、音楽は４．５Ｍ  ｂｉｔ／ｓｅｃ以下に圧縮されるように設定されている。
【００７７】
これらは上記識別情報に基づいて、記録媒体１に記録された複数のコンテンツをそれぞれ所定のグループに分類してグループ化し、グループ毎に一括して、伸張した後に圧縮処理している。
【００７８】
コンテンツＡ６１およびコンテンツＣ６３は識別情報としてスポーツが付与されて記録媒体１に記録されていた。ここでも、グループ化基準として例えばジャンル毎が選択されており、これらは、スポーツをグループ化基準としてグループ化される。そして、これらのグループ化されたコンテンツは、グループ毎に伸張処理された後に、スポーツは３．５Ｍ  ｂｉｔ／ｓｅｃ以下に圧縮処理される。
【００７９】
したがって、コンテンツＡ６１は伸張処理後に３．５ｂｉｔ／ｓｅｃの記録レートで圧縮される。また、コンテンツＣ６３は伸張後に３Ｍ  ｂｉｔ／ｓｅｃの記録レートで圧縮される。
【００８０】
コンテンツＢ６２、コンテンツＤ６４およびコンテンツＦ６６は識別情報としてドラマシリーズＸが付与されて記録媒体１に記録されていた。これらは、ドラマシリーズＸをグループ化基準としてグループ化される。これらドラマシリーズＸにかかるコンテンツは４．５Ｍ  ｂｉｔ／ｓｅｃ以下の記録レートで圧縮される。
【００８１】
したがって、コンテンツＢ６２は伸張処理後に４Ｍ  ｂｉｔ／ｓｅｃの記録レートで圧縮される。また、コンテンツＤ６４およびコンテンツＦ６６は伸張処理後に４．５Ｍ  ｂｉｔ／ｓｅｃの記録レートで圧縮される。
【００８２】
また、コンテンツＥ６５は識別情報として音楽が付与されて記録媒体１に記録されていた。これは、音楽をグループ化基準としてグループ化される。そして、このグループ化された複数のコンテンツは、グループ毎に伸張処理された後に、音楽は４．５Ｍ  ｂｉｔ／ｓｅｃ以下に圧縮処理される。
【００８３】
これらグループ毎に圧縮処理された複数のコンテンツは、上記のように記録再生メモリバッファ７、データプロセッサ６、記録アンプ５等を経由して記録媒体１に記録される。
【００８４】
図７は、この発明の実施の形態に係る、グループ化のその他の例を説明する図である。ここでは、定期的に予約または録画された番組（複数のコンテンツ）をグループ化している。
【００８５】
例えば、コンテンツＢ６２、コンテンツＤ６４およびコンテンツＦ６６は識別情報として定期的な予約（録画または視聴予約）が付与されて記録媒体１に記録されている。
【００８６】
コンテンツＢ６２は１１月３日（日）、ＡＭ８：００〜ＡＭ  ９：００、チャンネル１００の情報が付与されて記録媒体１に記録されている。また、コンテンツＤ６４は１１月１０日（日）、ＡＭ８：００〜ＡＭ  ９：００、チャンネル１００の情報が付与されて記録媒体１に記録されている。また、コンテンツＦ６６は１１月１７日（日）、ＡＭ８：００〜ＡＭ  ９：００、チャンネル１００の情報が付与されて記録媒体１に記録されている。
【００８７】
システムコントローラ１０はこれらの情報から同時刻、同チャンネルの複数のコンテンツが定期的に予約されていることを検出し、同一グループにグループ化する。
【００８８】
図８は、この発明の実施の形態に係る、グループ化のその他の例を説明する図である。ここでは、放送を受信した放送局名（○○放送）を識別情報としてグループ化している。
【００８９】
例えば、コンテンツＢ６２、コンテンツＤ６４およびコンテンツＦ６６は識別情報として放送を受信した放送局名（○○放送）が付与されて記録媒体１に記録されている。
【００９０】
コンテンツＢ６２、コンテンツＤ６４、コンテンツＦ６６は放送を受信した放送局名（○○放送）が付与されて記録媒体１に記録されている。
【００９１】
システムコントローラ１０はこれらの情報から○○放送が受信されていることを検出し、同一グループにグループ化する。
【００９２】
図９は、この発明の実施の形態に係る、グループ化のその他の例を説明する図である。ここでは、外部から取得した番組情報（ＥＰＧ（Ｅｌｅｃｔｒｉｃａｌ  ｐｒｏｇｒａｍ  ｇｕｉｄｅ）情報）を識別情報としてグループ化している。これらの番組情報はインターネットで送信される情報を利用してもよいし、デジタル放送で送信される情報を利用してもよい。
【００９３】
例えば、コンテンツＢ６２、コンテンツＤ６４およびコンテンツＦ６６はそれぞれ識別情報として送信されたシリーズ記述子：＠１、＠２、＠３が付与されて記録媒体１に記録されている。ここでは、シリーズ記述子：＠１、＠２、＠３はシリーズであることを示している。
【００９４】
システムコントローラ１０は、これらの情報から複数のコンテンツにそれぞれシリーズ記述子：＠１、＠２、＠３が記録されていることを検出し、同一グループにグループ化する。
【００９５】
図１０は、この発明の実施の形態に係る、記録媒体１に記録された複数のコンテンツを複数のユーザで共有し、これらを個人毎にグループ化する例を説明する図である。
【００９６】
図１０（ａ）は、記録媒体１に記録された各コンテンツに共に識別情報として所有者が記録された例である。
【００９７】
コンテンツＡ６１は識別情報として所有者Ｋ．Ｍさんが記録されている。コンテンツＢ６２は識別情報として所有者Ｓ．ＳさんおよびＫ．Ｍさんが記録されている。コンテンツＣ６３は識別情報として所有者Ｋ．Ｍさんが記録されている。
【００９８】
図１０（ｂ）は、所有者Ｋ．Ｍさんをグループ化の基準（識別情報）としてグループ化されたコンテンツの例である。
【００９９】
コンテンツＡ６１、コンテンツＢ６２、コンテンツＣ６３は所有者Ｋ．Ｍさんを基準としてグループ化されている。ここで、Ｋ．Ｍさん所有のコンテンツは３Ｍ  ｂｉｔ／ｓｅｃ以下に圧縮されるように設定されている。したがって、記録媒体１に記録された複数のコンテンツは、Ｋ．Ｍさん所有にグループ化され、グループ毎に一括して、伸張した後に圧縮処理している。
【０１００】
尚、上記説明において、複数のコンテンツをＭＰＥＧ２伸張処理した後にＭＰＥＧ２圧縮処理する際には、圧縮処理を２系統、伸張処理を１系統のように、圧縮処理の処理速度を伸張処理の処理速度より高めることが望ましい。
【０１０１】
上記のように構成することによって、複数のコンテンツのグループ化を行い、例えば、記録媒体（ＨＤＤディスクやＤＶＤディスク等）への複数のコンテンツの記録が大量に行われ、記録媒体の容量不足が生じたときに、記録媒体に記録された複数のコンテンツを圧縮する際の、圧縮する複数のコンテンツの選択操作を容易に行うことができる。
【０１０２】
また、ユーザによる選択操作の使い勝手を向上させることができる。
【０１０３】
また、複数のコンテンツをグループ毎に、一括して伸張や圧縮処理することができるので、記録再生装置の処理速度を向上させることができる。
【０１０４】
【発明の効果】
上記説明したように、この発明の実施の形態によれば、複数のコンテンツのグループ化を行うことで、圧縮する複数のコンテンツの選択操作を容易に行うことができる。
【０１０５】
また、ユーザによる選択操作の使い勝手を向上させることができる。
【０１０６】
また、複数のコンテンツをグループ毎に、一括して伸張や圧縮処理することができるので、記録再生装置の処理速度を向上させることができる。
【図面の簡単な説明】
【図１】この発明に係る実施の形態を説明するブロック図。
【図２】この発明の実施の形態に係る複数のコンテンツの、グループ化操作の表示画面を説明する図。
【図３】この発明の実施の形態に係るフローチャート。
【図４】この発明の実施の形態に係る、外部から入力された複数のコンテンツを識別情報と共に記録した例。
【図５】この発明の実施の形態に係る、グループ化およびグループ毎の圧縮処理の一例を説明する図。
【図６】この発明の実施の形態に係る、グループ化およびグループ毎の圧縮処理の、他の例を説明する図。
【図７】この発明の実施の形態に係る、グループ化の他の例を説明する図。
【図８】この発明の実施の形態に係る、グループ化の他の例を説明する図。
【図９】この発明の実施の形態に係る、グループ化の他の例を説明する図。
【図１０】この発明の実施の形態に係る、記録された複数のコンテンツを複数のユーザで共有し、個人毎にグループ化する例を説明する図。
【符号の説明】
１  …  記録媒体（ＤＶＤディスクやＨＤＤディスク等）
２  …  ピックアップ
３  …  ディスクモータ
４  …  再生アンプ
５  …  記録アンプ
７  …  メモリバッファ（キャッシュメモリ）
８  …  サーボプロセッサ
９  …  ＭＰＥＧ２デコーダ（伸張手段）、
１０  …  システムコントローラ
１１  …  ＭＰＥＧ２エンコーダ（圧縮手段）
１２  …  映像ＤＡＣ
１３  …  映像外部出力部
１４  …  映像Ａ／Ｄ
１５  …  映像入力セレクタ
１６  …  映像外部入力部
１７  …  放送局情報デコーダ
１８  …  チューナ
１９  …  アンテナ
２０  …  音声Ａ／Ｄ
２１  …  音声入力セレクタ
２２  …  音声入力部
２３  …  音声ＤＡＣ
２４  …  音声外部出力部
３０  …  表示装置
３１  …  番組情報入力部
４１  …  グラフィック表示器
【図１】
2004158127.tif 000003
【図２】
2004158127.tif 000004
【図３】
2004158127.tif 000005
【図４】
2004158127.tif 000006
【図５】
2004158127.tif 000007
【図６】
2004158127.tif 000008
【図７】
2004158127.tif 000009
【図８】
2004158127.tif 000010
【図９】
2004158127.tif 000011
【図１０】
2004158127.tif 000012